(57)【特許請求の範囲】
【請求項１】
複数のスロット収容部と、隣接する二つの該スロット収容部を接続するターン部と、を有する導線の成形体を、該導線の最内周面に当接する内周押圧部材及び該導線の最外周面と当接し複数の外周押圧部材片からなる外周押圧部材を用いて複数の該ターン部が周方向に沿って円弧状または渦巻き状を形成するように巻回する工程を有する固定子巻線の製造方法であって、
該ターン部は少なくとも一部に径方向の段差部を有し、
該スロット収容部の位置を周方向及び径方向で規制するとともに、該外周押圧部材片は周方向で接続される接続部に設けられた段差規制部により該段差部の周方向位置を規制した状態で、該ターン部を該所定の曲率に成形する工程を備えることを特徴とする固定子巻線の製造方法。
【請求項２】
前記スロット収容部は、前記導線の断面形状に対応する凹形状を有する規制部により位置が規制されている請求項１記載の固定子巻線の製造方法。
【請求項３】
前記ターン部は、軸方向での位置が異なる部分を有する請求項１〜２のいずれかに記載の固定子巻線の製造方法。
【請求項４】
前記ターン部は、前記所定の曲率を有する円弧状の曲成形部により成形される請求項１〜３のいずれかに記載の固定子巻線の製造方法。
【請求項５】
前記段差部は、その中央部が前記スロット収容部からもっとも離れた形状に形成されている請求項１〜４のいずれかに記載の固定子巻線の製造方法。
【請求項６】
前記ターン部は、階段状に成形されている請求項１〜５のいずれかに記載の固定子巻線の製造方法。
【請求項７】
前記スロット収容部を成型ダイに固定した状態で、前記ターン部を該成型ダイに押圧して前記導線を成形する請求項１〜６のいずれかに記載の固定子巻線の製造方法。
【請求項８】
複数のスロット収容部と、隣接する二つの該スロット収容部を接続するターン部と、を有する導線の成形体を、該ターン部が周方向に沿って円弧状または渦巻き状となるように巻回する固定子巻線の製造装置であって、
該ターン部は少なくとも一部に径方向の段差部を有し、
該導線の最内周面に当接する内周押圧部材と、該導線の最外周面と当接し複数の外周押圧部材片からなる外周押圧部材と、を有し、
該スロット収容部の位置を周方向及び径方向で規制するとともに、該外周押圧部材片は周方向で接続される接続部に設けられ、該段差部の周方向位置を規制する段差規制部を有することを特徴とする固定子巻線の製造装置。
【請求項９】
前記規制部は、前記スロット収容部の断面形状に合った凹形状を有する請求項８記載の固定子巻線の製造装置。
【請求項１０】
前記ターン部に荷重を加えて所定の曲率に成形する円弧状の曲成形部を有する請求項８〜９のいずれかに記載の固定子巻線の製造装置。
【請求項１１】
前記曲成形部は、前記スロット収容部の一方側にある前記ターン部を成形する第一曲成形部と、前記スロット収容部の他方側にある前記ターン部を成形する第二曲成形部とを有する請求項１０記載の固定子巻線の製造装置。
【請求項１２】
前記第一曲成形部と前記第二曲成形部とは、前記規制部により連結されている請求項１０〜１１のいずれかに記載の固定子巻線の製造装置。
【発明の詳細な説明】
【技術分野】
【０００１】
本発明は、例えば車両において電動機や発電機として使用される回転電機の固定子の製造方法及びその製造装置に関する。
【背景技術】
【０００２】
従来より、回転電機の固定子として、周方向に複数のスロットを有する円環状の固定子コアと、固定子コアに巻回される複数の導線からなる固定子巻線と、を備えたものが一般的に知られている。
【０００３】
そして、スロット内に配置される導線の占積率を向上させるために、軸線に対して垂直方向の断面形状が矩形形状であるとともに、展開したときの全体形状がクランク状に蛇行した形状の各相巻線（Ｕ相導体、Ｖ相導体、Ｗ相導体）により、固定子巻線を構成する技術が開示されている。この場合、固定子巻線を構成する各相巻線は、所定の回数、渦巻き状に巻回して円筒状に形成された構造になっている。
【０００４】
そして、上記の固定子巻線は、たとえば、特許文献１に記載のように、ベルト状の固定子巻線群を、円筒状の芯部材を回転させながら渦巻状に巻き取ることにより、径方向に複数の層を為す所定寸法の円筒状に形成される。このようにして円筒状に形成された固定子巻線は、同一のスロット内に収容される複数の導線のスロット収容部が径方向に整列した状態にされている必要があるが、各相巻線を巻き付ける際には、大きなスプリングバック（弾性復帰作用）が発生することもあるため、スロット収容部の位置ずれ等が発生し易いという問題があった。
【０００５】
各相巻線にスプリングバックが生じてスロット収容部に位置ずれが発生すると、スロット内に配置される導線（スロット収容部）の占積率が低下するだけでなく、スロット内に配置される導線（スロット収容部）の位置精度が低下して磁気特性が低下する、導線（スロット収容部）同士が干渉して導線が損傷を生じるといった問題が発生する。具体的には、図３２に示したように、スロット収容部の周方向での位置にずれが生じると、スロット収容部が径方向に並ばなくなり、磁気特性が低下する。また、図３３に示したように、スロット収容部にねじれを含む位置にずれが生じると、一つのスロット収容部の角部が隣接するスロット収容部の表面に接触するようになり、スロット収容部の絶縁被膜が損傷を生じるようになる。
【先行技術文献】
【特許文献】
【０００６】
【特許文献１】特開２００９−２４７１９９号公報
【発明の概要】
【発明が解決しようとする課題】
【０００７】
本発明は上記実状に鑑みてなされたものであり、固定子巻線の形成に際して、スロット収容部の位置ずれ等の発生を回避し得るようにした回転電機の固定子巻線の製造方法及びその製造装置を提供することを解決すべき課題とするものである。
【課題を解決するための手段】
【０００８】
上記課題を解決するためになされた請求項１に記載の発明は、複数のスロット収容部と、隣接する二つのスロット収容部を接続するターン部と、を有する導線の成形体を、導線の最内周面に当接する内周押圧部材及び導線の最外周面と当接し複数の外周押圧部材片からなる外周押圧部材を用いて複数のターン部が周方向に沿って円弧状または渦巻き状を形成するように巻回する工程を有する固定子巻線の製造方法であって、ターン部は少なくとも一部に径方向の段差部を有し、スロット収容部の位置を周方向及び径方向で規制するとともに、外周押圧部材片は周方向で接続される接続部に設けられた段差規制部により段差部の周方向位置を規制した状態で、ターン部を所定の曲率に成形する工程を備えることを特徴とする。
【０００９】
請求項１に記載の発明によれば、スロット収容部及びターン部を有する導線の成形体を、円弧状または渦巻き状を形成するように巻回する工程を有する固定子巻線の製造方法であって、スロット収容部の位置を規制した状態で、ターン部を所定の曲率に成形する。なお、スロット収容部の位置の規制とは、スロット収容部が、固定子巻線を形成したときの軸方向、周方向、径方向のそれぞれの方向へ位置が変移することを規制するだけではなく、スロット収容部がねじれを生じることも規制する。本発明によれば、スロット収容部の位置を規制した状態でターン部を成形しており、ターン部が成形された巻回体では、スロット収容部が変移を生じなくなっている。具体的には、スロット収容部の位置を規制した状態でターン部を成形することで、ターン部のみが所定の曲率に成形されるのではなく、ターン部のスロット収容部に対する位置もあわせて成形される。つまり、本発明によると、スロット収容部とターン部とを同時に成形することで、スロット収容部の位置ずれの発生を抑えることができる。
【００１０】
この結果、本発明の製造方法により製造された固定子巻線は、スロット収容部の位置ずれが生じなくなっており、この固定子巻線を用いた回転電機は、スロット収容部の位置ずれに基づく不具合の発生が抑えられたものとなる。
【００１２】
請求項１に記載の発明によれば、スロット収容部は、周方向での位置が規制されている。そして、スロット収容部の周方向での位置が規制されていることで、成形時にスロット収容部の位置や姿勢の変移を防止することができる。
請求項１に記載の発明によれば、スロット収容部は、さらに、径方向での位置が規制されている。
【００１３】
請求項２に記載の発明は、スロット収容部は、導線の断面形状に対応する凹形状を有する規制部により位置が規制されていることを特徴とする。なお、規制部の導線の断面形状に対応する凹形状とは、導線の外周形状と一致する（凹形状の内部に導線を配した時に、導線の外周形状と略一致する嵌入可能）な形状を示す。
【００１４】
請求項２に記載の発明によれば、スロット収容部の位置の規制が、凹形状の規制部により行われる。そして、規制部が導線の断面形状に対応する凹形状を有しており、スロット収容部がズレを生じることが規制されるだけでなく、ねじれも規制されるため、より確実にスロット収容部の位置を規制することができる。
【００１５】
請求項３に記載の発明は、ターン部は、軸方向での位置が異なる部分を有することを特徴とする。
【００１６】
請求項３に記載の発明によれば、ターン部は、固定子巻線を形成したときに、スロット収容部の端部から突出するように形成されている。つまり、ターン部は、固定子巻線において、周方向と軸方向がなす面において、傾斜した方向にのびている。このような形状のターン部をもつ成形体を巻回しても、本発明では、スロット収容部の位置ずれの発生を抑えることができる。
【００１７】
これに対し、軸方向での位置が異なる部分を有するターン部を有する成形体をそのまま巻回すると（上記の従来技術のように、ターン部のみを周方向に沿うように成形すると）、ターン部では導線ののびる方向に垂直な方向に曲げ応力が働くため、ターン部は成形できるが、ターン部のスロット収容部に対する位置は成形できない。つまり、スロット収容部の位置ずれが発生する。
【００１８】
請求項４に記載の発明は、ターン部は、所定の曲率を有する円弧状の曲成形部により成形されることを特徴とする。
【００１９】
請求項４に記載の発明によれば、曲成形部によりターン部が成形される。そして、この曲成形部が所定の曲率を有しており、成形されるターン部が所定の曲率を有することとなる。さらに、曲成形部が所定の曲率を有することで、ターン部の全体に荷重をかけることができ、ターン部を確実に所定の曲率に成形することができる。
【００２０】
本発明の請求項１に記載の発明は、ターン部は少なくとも一部に径方向の段差部を有し、曲成形部に段差部の周方向位置が規制されることを特徴とする。ここで、段差部とは、ターン部が径方向での位置が異なる二つの部分からなるときに、二つの部分をつなぐ部分である。すなわち、段差部とは、径方向での位置が異なる導線を接続する部分である。
【００２１】
請求項１に記載の発明によれば、ターン部は、段差部を有している。ターン部が段差部を有していることで、導線を成形して固定子巻線を形成したときに、径方向で隣り合った導線同士の干渉を抑えることができる。そして、成形時に段差部によりターン部の周方向位置が規制されるため、成形に伴うスロット収容部の位置や姿勢の変移を防止できる。
【００２２】
請求項５に記載の発明は、ターン部は、その中央部がスロット収容部からもっとも離れた形状に形成されていることを特徴とする。
【００２３】
請求項５に記載の発明によれば、ターン部を対称な形状とすることができる。
【００２４】
請求項６に記載の発明は、ターン部は、階段状に成形されていることを特徴とする。
【００２５】
請求項６に記載の発明によれば、ターン部が階段状に成形されることで、固定子巻線のスロット収容部からの突出量を小さくすることができる。つまり、本発明の製造方法により製造された固定子巻線を小型化することができ、この固定子巻線を用いた回転電機を小型化できる。
【００２７】
本発明によれば、ターン部がクランク部を有していても、スロット収容部を規制した状態で成形することで、スロット収容部の位置ずれが抑えられた固定子巻線を製造することができる。
【００２８】
請求項７に記載の発明は、スロット収容部を成型ダイに固定した状態で、ターン部を成型ダイに押圧して導線を成形することを特徴とする。
【００２９】
請求項７に記載の発明によれば、成型ダイに固定することでスロット収容部の変移が規制され、この状態で成型ダイに押圧することでスロット収容部の位置ずれが抑えられた固定子巻線を製造できる。
【００３０】
また、上記課題を解決するためになされた請求項８に記載の発明は、複数のスロット収容部と、隣接する二つのスロット収容部を接続するターン部と、を有する導線の成形体を、ターン部が周方向に沿って円弧状または渦巻き状となるように巻回する固定子巻線の製造装置であって、ターン部は少なくとも一部に径方向の段差部を有し、導線の最内周面に当接する内周押圧部材と、導線の最外周面と当接し複数の外周押圧部材片からなる外周押圧部材と、を有し、スロット収容部の位置を周方向及び径方向で規制するとともに、外周押圧部材片は周方向で接続される接続部に設けられ、段差部の周方向位置を規制する段差規制部を有することを特徴とする。
【００３１】
請求項８に記載の発明によれば、規制部でスロット収容部の位置を規制した状態でターン部を成形することとなり、ターン部が成形された巻回体では、スロット収容部が変移を生じなくなっている。具体的には、規制部でスロット収容部の位置を規制した状態でターン部を成形することで、ターン部のみが所定の曲率に成形されるのではなく、ターン部のスロット収容部に対する位置もあわせて成形される。つまり、本発明の製造装置によると、スロット収容部とターン部とを同時に成形することで、スロット収容部の位置ずれの発生を抑えることができる。
【００３３】
請求項８に記載の発明によれば、規制部は、スロット収容部の周方向での位置を規制している。そして、スロット収容部の周方向での位置が規制されていることで、成形時にスロット収容部の位置や姿勢の変移を防止することができる。
請求項８に記載の発明によれば、規制部は、さらに、スロット収容部の径方向での位置を規制されている。
【００３４】
請求項９に記載の発明は、規制部は、スロット収容部の断面形状に合った凹形状を有することを特徴とする。
【００３５】
請求項９に記載の発明によれば、スロット収容部の位置の規制が、凹形状の規制部により行われる。そして、規制部が導線の断面形状に対応する凹形状を有しており、スロット収容部がズレを生じることが規制されるだけでなく、ねじれも規制されるため、より確実にスロット収容部の位置を規制することができる。
【００３６】
請求項１０に記載の発明は、ターン部に荷重を加えて所定の曲率に成形する円弧状の曲成形部を有することを特徴とする。
【００３７】
請求項１０に記載の発明によれば、曲成形部によりターン部が成形される。そして、この曲成形部が所定の曲率を有しており、成形されるターン部が所定の曲率を有することとなる。さらに、曲成形部が所定の曲率を有することで、ターン部の全体に荷重をかけることができ、ターン部を確実に所定の曲率に成形することができる。
【００３８】
請求項８に記載の本発明は、ターン部は少なくとも一部に段差部を有し、曲成形部には段差部の周方向位置を規制する段差規制部が形成される。
【００３９】
請求項８に記載の発明によれば、ターン部は、段差部を有している。ターン部が段差部を有していることで、導線を成形して固定子巻線を形成したときに、径方向で隣り合った導線同士の干渉を抑えることができる。そして、曲成形部が段差規制部が形成されていることで、段差規制部が成形時に段差部を規制することでターン部の周方向位置が規制されるため、成形に伴うスロット収容部の位置や姿勢の変移を防止できる。
【００４０】
請求項１１に記載の発明は、曲成形部は、スロット収容部の一方側にあるターン部を成形する第一曲成形部と、スロット収容部の他方側にあるターン部を成形する第二曲成形部とを有することを特徴とする。
【００４１】
請求項１１に記載の発明によれば、スロット収容部の一方側にあるターン部と他方側にあるターン部とを、第一及び第二曲成形部で成形する。つまり、曲成形部をターン部の成形のみに用いることができ、曲成形部に要する材料を必要最低限とすることができる。
【００４２】
請求項１２に記載の発明は、第一曲成形部と第二曲成形部とは、規制部により連結されていることを特徴とする。
【００４３】
請求項１２に記載の発明によれば、スロット収容部の位置を規制する規制部により第１曲成形部と第２曲成形部との相対位置を固定できる。
【図面の簡単な説明】
【００４４】
【図１】実施形態に係る回転電機の断面図である。
【図２】実施形態に係る回転電機の固定子の全体斜視図である。
【図３】実施形態に係る回転電機の固定子の平面図である。
【図４】実施形態に係る回転電機の固定子の側面図である。
【図５】実施形態に係る固定子コアの平面図である。
【図６】実施形態に係る分割コアの平面図である。
【図７】実施形態に係る固定子巻線の全体斜視図である。
【図８】実施形態に係る固定子巻線の側面図である。
【図９】実施形態に係る固定子巻線の平面図である。
【図１０】実施形態に係る固定子巻線の底面図である。
【図１１】（Ａ）（Ｂ）実施形態において用いられる導線の断面図である。
【図１２】（Ａ）は実施形態において用いられる導線の上面図であり、（Ｂ）は導線の平面図である。
【図１３】（Ａ）は実施形態において用いられる導線のターン部の形状を示す斜視図であり、（Ｂ）は隣接する複数のターン部を示す斜視図である。
【図１４】実施形態において用いられる固定子巻線の結線図である。
【図１５】実施形態において各スロットの最外径側に配置される各導線の第１スロット収容部の配置位置を示す説明図である。
【図１６】実施形態の固定子巻線において１本の導線（Ｕ１−４’）のスロット収容部の配置位置および軌跡を示す説明図である。
【図１７】実施形態においてＶ相の巻線の接続状態を示す巻線仕様図である。
【図１８】実施形態の製造方法の製造工程を示すブロック図である。
【図１９】実施形態の導線形成工程における折曲げ加工の様子を示す説明図である。
【図２０】（Ａ）は実施形態の導線形成工程における折曲げ加工を開始する前の説明図であり、（Ｂ）は実施形態の導線形成工程における折曲げ加工を開始した直後の説明図である。
【図２１】実施形態の成形工程において成形された導線の軸方向から見た平面図である。
【図２２】実施形態の成形工程において成形された導線の全体斜視図である。
【図２３】本実施形態の成形工程における成形装置の構成を示した図である。
【図２４】本実施形態の成形工程における巻回体の曲率中心を示した図である。
【図２５】スロット収容部が収容された状態のスロット収容部規制部の断面形状を示した図である。
【図２６】実施形態の成形工程においてスロット収容部がスロット収容部規制部に保持された状態の内周押圧部材を示した全体斜視図である。
【図２７】実施形態の成形工程において中間押圧部材が内周押圧部材の外周を一周した状態を示した全体斜視図である。
【図２８】実施形態の成形工程において外周押圧部材片が中間押圧部材との間で導線を成形している状態を示した図である。
【図２９】実施形態の成形工程において外周押圧部材片が中間押圧部材との間で導線を成形している状態を示した図である。
【図３０】実施形態の成形工程において外周押圧部材片が中間押圧部材との間で導線を成形している状態を示した図である。
【図３１】実施形態の固定子巻線形成工程において複数の導線を軸方向に相対移動させて組み付ける状態を示す説明図である。
【図３２】従来の回転電機の固定子においてスロット収容部の位置にずれが生じた状態を示した断面図である。
【図３３】従来の回転電機の固定子においてスロット収容部の位置にずれが生じた状態を示した断面図である。
【発明を実施するための形態】
【００４５】
以下、本発明に係る固定子巻線の製造方法及び製造装置について図面を参照しつつ具体的に説明する。
【００４６】
（回転電機）
本発明に係る固定子巻線の製造方法により製造される固定子巻線を有する回転電機について図１〜図１７を参照しつつ具体的に説明する。図１は、回転電機１の構成を示す断面図である。図２は、本実施形態に係る回転電機の固定子の全体斜視図である。図３は、その固定子の平面図である。図４は、その固定子の側面図である。
【００４７】
本実施形態の回転電機１は、略有底筒状の一対のハウジング部材が開口部同士で接合されてなるハウジングと、ハウジングに軸受けを介して回転自在に支承される回転軸に固定された回転子と、ハウジングの内部で回転子を包囲する位置でハウジングに固定された固定子２０と、を備えている。
【００４８】
回転子は、永久磁石により周方向に交互に異なる磁極を固定子２０の内周側と向き合う外周側に複数形成している。
【００４９】
固定子２０は、図２〜図４に示すように、固定子コア３０と、複数（本実施形態では４８本）の導線５０から形成される三相の固定子巻線４０とを備えている。なお、固定子コア３０と固定子巻線４０との間には、絶縁紙を配してもよい。
【００５０】
図５は、本実施形態に係る固定子コアの平面図である。図６は、本実施形態に係る分割コアの平面図である。
【００５１】
固定子コア３０は、図５に示すように、内周に複数のスロット３１が形成された円環状を呈している。複数のスロット３１は、その深さ方向が径方向と一致するように周方向に設けられている。固定子コア３０に形成されたスロット３１の数は、回転子の磁極数（８磁極）に対し、固定子巻線４０の一相あたり２個の割合で形成されている。本実施形態では、８×３×２＝４８より、スロット数は４８個とされている。
【００５２】
固定子コア３０は、図６に示す分割コア３２を所定の数（本実施形態では２４個）を周方向に連結して形成されている。分割コア３２の外周には、外筒３７が嵌合されている（図２〜４参照）。分割コア３２は、一つのスロット３１を区画するとともに、周方向で隣接する分割コア３２との間で一つのスロット３１を区画する形状を呈している。具体的には、分割コア３２は、径方向内方に伸びる一対のティース部３３と、ティース部３３を径方向外方で連結するバックコア部３４とを有している。
【００５３】
固定子コア３０を構成する分割コア３２は、複数枚の電磁鋼板を積層させて形成されている。積層された電磁鋼板の間には、絶縁薄膜が配置されている。分割コア３２は、この電磁鋼板の積層体からだけでなく、従来公知の金属薄板および絶縁薄膜を用いて形成してもよい。
【００５４】
図７は、本実施形態に係る固定子巻線の全体斜視図であり、図８は側面図、図９は平面図、図１０は底面図である。
【００５５】
固定子巻線４０は、図７〜図１０に示すように、複数の導線５０により円筒形状に形成されており、固定子コア３０のスロット３１内に収容されるストレート部４１と、このストレート部４１の両端においてスロット３１外に配置されるコイルエンド部４２を有する。一方のコイルエンド部４２の端面において、出力線および中性点が軸方向に突出するとともに、内径側から突出した導線５０の端部を外径側から突出した導線５０の端部に接続する渡り部７０が設けられている。
【００５６】
固定子巻線４０を構成する導線５０は、図１１（Ａ）に示すように、銅製の導体６７と、導体６７の外周を覆い導体６７を絶縁する内層６８ａ及び外層６８ｂからなる絶縁被膜６８とから形成されている。内層６８ａおよび外層６８ｂを合わせた絶縁被膜６８の厚みは、１００μｍ〜２００μｍの間に設定されている。このように、内層６８ａおよび外層６８ｂからなる絶縁被膜６８の厚みが厚いので、導線５０同士を絶縁するために導線５０同士の間に絶縁紙等を挟み込む必要がなくなっているが、導線５０同士の間あるいは固定子コア３０と固定子巻線４０との間に絶縁紙を配設してもよい。
【００５７】
外層６８ｂはナイロン等の絶縁材で形成され、内層６８ａは外層６８ｂよりもガラス転移温度の高い熱可塑性樹脂またはポリアミドイミド等の絶縁材で形成されている。これにより、回転電機１００に発生する熱により外層６８ｂは内層６８ａよりも早く結晶化するため、外層６８ｂの表面硬度が高くなり、導線５０に傷がつきにくくなる。このため、後述するターン部５２に段部を形成する加工を施した導線５０の絶縁を確保することができる。
【００５８】
さらに、導線５０は、図１１（Ｂ）に示すように、内層６８ａおよび外層６８ｂからなる絶縁被膜６８の外周をエポキシ樹脂等からなる融着材６９で被覆してもよい。これにより、融着材６９は、回転電機に発生する熱により絶縁被膜６８よりも早く溶融するので、同じスロット３１に収容されている複数の導線５０同士が融着材６９同士により熱接着する。その結果、同じスロット３１に収容されている複数の導線５０が一体化し導線５０同士が硬化することで、スロット３１内の導線５０の機械的強度が向上する。なお、絶縁被膜６８には、ポリフェニレンサルファイド（ＰＰＳ）よりなる被膜を用いてもよい。
【００５９】
図１２に、導線５０を平面上に展開した場合の図を示す。導線５０は、図１２に示すように、固定子コア３０のスロット３１内に収容されるスロット収容部５１と、スロット３１から固定子コア３０の外に突出し、周方向に異なるスロット３１に収容されているスロット収容部５１同士を接続しているターン部５２とを有する。この導線５０は、少なくとも、周方向の異なるスロット３１に収容される第１スロット収容部５１Ａと、第１スロット収容部５１Ａから周方向に離間したスロット３１に収容される第２スロット収容部５１Ｂと、第２スロット収容部５１Ｂから周方向に離間したスロット３１に収容される第３スロット収容部５１Ｃと、固定子コア３０の一端側におけるスロット３１の外部で第１スロット収容部５１Ａと第２スロット収容部５２Ｂを接続する第１ターン部５２Ａと、固定子コア３０の他端側におけるスロット３１の外部で第２スロット収容部５１Ｂと第３スロット収容部５１Ｃを接続する第２ターン部５２Ｂとを有している。なお、図１１に示す導線５０は、１２個のスロット収容部５１Ａ〜５１Ｌと、１１個のターン部５２Ａ〜５２Ｋを備えている。
【００６０】
スロット収容部５１は、図１２の左端に位置する第１スロット収容部５１Ａから順に、固定子コア３０の周方向に離間したスロット３１にそれぞれ収容される第２スロット収容部５１Ｂ、第３スロット収容部５１Ｃ、・・・、第１２スロット収容部５１Ｌの１２個からなる。また、ターン部５２は、固定子コア３０の一端側におけるスロット３１の外部と固定子コア３０の他端側におけるスロット３１の外部とで交互にスロット収容部５１同士を接続する第１ターン部５２Ａ、第２ターン部５２Ｂ、・・・、第１０ターン部５２Ｊ、および第１１スロット収容部５１Ｋと第１２スロット収容部５１Ｌを接続する第１１ターン部５２Ｋの１１個からなる。
【００６１】
この導線５０の隣り合うスロット収容部５１同士の周方向（矢印Ｙ方向）の離間距離Ｘは、全ての箇所で異なるようにされている。この場合、離間距離Ｘは、導線５０の第１スロット収容部５１Ａ側から第１２スロット収容部５１Ｌ側に向かうにつれて、徐々に短くなるようにされている。即ち、離間距離Ｘは、Ｘ１＞Ｘ２＞Ｘ３＞Ｘ４＞Ｘ５＞Ｘ６＞Ｘ７＞Ｘ８＞Ｘ９＞Ｘ１０＞Ｘ１１となっている。なお、離間距離Ｘは、固定子コア３０の周方向において隣り合うスロット３１同士の離間距離（スロットピッチ）を考慮して適宜設定される。
【００６２】
導線５０の両端には、他の導線５０等と接続するための引出し部５３ａ、５３ｂが設けられている。一方の引出し部５３ａは、第１スロット収容部５１Ａの端末から内側（図１２の右側）へ戻るように、略半分の長さに形成されたターン部５２Ｍを介して形成されている。よって、一方の引出し部５３ａは、第１スロット収容部５１Ａからターン部５２Ｍの長さだけ内側（図１１の右側）へ寄った所に位置している。他方の引出し部５３ｂは、第１２スロット収容部５１Ｌの端末から内側（図１２の左側）へ戻るように、略半分の長さに形成されたターン部５２Ｎを介して形成されている。よって、他方の引出し部５３ｂは、第１２スロット収容部５１Ｌからターン部５２Ｎの長さだけ内側（図１２の左側）へ寄った所に位置している。他方の引出し部５３ｂの先端には、固定子巻線４０の軸方向端面上で固定子コア３０の径方向外方へ折り曲げられて配置される渡り部７０が設けられている。
【００６３】
ターン部５２の略中央部には、接続するスロット収容部５１の径方向での位置をずらすための段差部がもうけられている。具体的には、第１スロット収容部５１Ａ、第２スロット収容部５１Ｂ、第３スロット収容部５１Ｃ、・・・、第１２スロット収容部５１Ｌを導線５０の長手方向およびスロット収容部５１の長手方向に直交する方向に順次段差が生じるように段差部はクランク状（以下、クランク部５４とする）に形成されている（図１２参照）。その結果、導線５０は図１２（Ａ）に示すように階段状の形状を有することになる。
【００６４】
図１３に、図１２に示す導線５０を用いて円筒形状の固定子巻線４０を形成した場合のターン部５２の形状を示す斜視図を示す。図１３（Ａ）に示すように、固定子コア３０の径方向に変位して固定子コア３０の端面３０ａに沿って延びるクランク部５４を有する。クランク部５４のクランク形状によるずれ量（径方向への変位量）は、ターン部５２の径方向厚み分である。これにより、ターン部５２によって接続されたスロット収容部５１同士は、ターン部５２の径方向厚み分だけ変位している。このようにクランク部５４がターン部５２に設けられていることにより、図１３（Ｂ）に示すように周方向に隣接している導線５０のターン部５２同士を密に巻回できる。また、図１３（Ｂ）に示すように周方向に隣接するターン部５２は互いに同じ形状であり、ターン部５２同士が干渉するのを防止している。
【００６５】
また、スロット３１から固定子コア３０の外に突出するターン部５２の突出箇所に、導線５０がまたがって設置されているスロット同士に向けて固定子コア３０の軸方向両側の端面３０ａに沿って段部５５が形成されている。これにより、スロット３１から突出している導線５０のターン部５２の突出箇所の間隔、言い換えればターン部５２が形成する三角形状部分の底辺の長さは、導線５０がまたがって設置されているスロット同士の間隔よりも狭くなっている。その結果、コイルエンドの高さが低くなる。ターン部５２の突出箇所（スロット収容部５１の延長線上の部位）に形成された段部５５は、スロット収容部５１に対して略直角に屈曲されており、その屈曲部の内側部分には、スロット収容部５１の表面よりも固定子コア３０の径方向両側に膨出した膨出部５７が設けられている。
【００６６】
また、固定子コア３０の端面３０ａに沿った段部５５の長さをｄ１、周方向に隣接するスロット同士の間隔をｄ２とすると、ｄ１≦ｄ２になっている。これにより、導線５０の段部５５が周方向に隣り合うスロットから突出する導線５０と干渉することを防止できる。これにより、周方向に隣接するスロットから突出する導線５０同士が互いに干渉することを避けるために、コイルエンドの高さが高くなったり、あるいはコイルエンドの径方向の幅が大きくなったりすることを防止できる。その結果、コイルエンドの高さが低くなる。さらに、コイルエンドの径方向の幅が小さくなるので、固定子巻線４０が径方向外側に張り出すことを防止する。
【００６７】
さらに、導線５０には、ターン部５２の略中央部のクランク部５４と、ターン部５２の突出箇所に形成した段部５５との間に、それぞれ２個の段部５６が形成されている。つまり、固定子コア３０の一方の軸方向の端面３０ａ側の導線５０のターン部５２には、１個のクランク部５４と合計６個の段部５５、５６が形成されている。これにより、クランク部５４や段部５５、５６を形成しない三角形状のターン部の高さに比べ、ターン部５２の高さが低くなる。クランク部５４のクランク形状も、段部５５、５６と同様に、固定子コア３０の端面３０ａに沿って形成されている。したがって、導線５０のターン部５２は、クランク部５４を挟んで両側が階段状に形成されている。
【００６８】
固定子巻線４０は、図１２に示した導線５０を４８本用いて形成されている。ただし、固定子巻線４０に出力線や中性点などを設けるために、渡り部７０を設けていない導線５０を適宜混在させても良い。
【００６９】
この固定子巻線４０を構成する導線５０は、ターン部５２の略中央部に、ターン部５２の径方向厚み分だけ径方向にずれたクランク部５４が設けられていることにより、ターン部５２によって接続されたスロット収容部５１同士は、固定子コア３０の中心軸線からの半径距離が、スロット収容部５１の径方向厚み分だけ異なっている。また、導線５０は、隣り合うスロット収容部５１同士の離間距離Ｘが、導線５０の第１スロット収容部５１Ａ側から第１２スロット収容部５１Ｌ側に向かうにつれて、徐々に短くなるようにされており、全ての箇所で実質的に異なっている（図９参照）。これらのことから、固定子巻線４０は、径方向に重なり合うスロット収容部５１が、周方向に位置ずれすることなく径方向一列にストレートな状態に整列し、真円筒形状により近い形状にすることができる（図７および図８参照）。
【００７０】
この固定子巻線４０は、複数の導線の第１スロット収容部５１Ａ同士、第２スロット収容部５１Ｂ同士、・・・、第１２スロット収容部５１Ｌ同士をそれぞれ周方向に連続するスロットに配置するとともに、第１スロット収容部５１Ａ同士、第２スロット収容部５１Ｂ同士、・・・、第１２スロット収容部５１Ｌ同士の固定子コアの中心軸線Ｏからの半径距離がそれぞれ等しくなるよう配置されているので、固定子巻線４０の外径寸法および内径寸法を周方向で均一化することができる。この固定子巻線４０は、図１４に示すように、それぞれの相が１６本の導線５０を直列に接続した各相巻線４３（Ｕ、Ｖ、Ｗ）をＹ結線した三相巻線として形成されている。
【００７１】
図１５において、各導線５０のスロット収容部５１は、１２個の破線円と放射方向に延びる破線とが交差する位置に配置されており、最外径側と最内径側のみが矩形断面形状で表されている。また、放射方向に１列に並んだスロット収容部５１の外側には、それぞれ対応する１〜４８のスロット番号が付されている（以後、図１６においても同じ）。また、スロット番号の外側には、それぞれのスロットの最外径側（第１２層）に、巻回の始端側となる第１スロット収容部５１Ａが配置される導線の番号が付されている。
【００７２】
各相の巻線を構成する１６本の導線５０は、８個の同一のスロット３１にスロット収容部５１が収容される８本の導線５０と、それら８個のスロット３１とは別の８個の同一のスロット３１にスロット収容部５１が収容される８本の導線５０とに分かれている。例えばＵ相の場合には、８本の導線（Ｕ１−１）〜（Ｕ１−４）および（Ｕ１−１’）〜（Ｕ１−４’）は、外径側から内径側に向かって反時計回りに巻回されて、それぞれのスロット収容部５１が、１番スロット、７番スロット、１３番スロット、１９番スロット、２５番スロット、３１番スロット、３７番スロットおよび４３番スロットに収容される。また、他の８本の導線（Ｕ２−１）〜（Ｕ２−４）および（Ｕ２−１’）〜（Ｕ２−４’）は、外径側から内径側に向かって反時計回りに巻回されて、それぞれのスロット収容部５１が、２番スロット、８番スロット、１４番スロット、２０番スロット、２６番スロット、３２番スロット、３８番スロットおよび４４番スロットに収容される。
【００７３】
なお、図１５には、代表として導線（Ｕ１−１）の軌跡が示されている。図１５において、黒四角で示された部分は導線（Ｕ１−１）のスロット収容部５１が配置されていることを示し、導線（Ｕ１−１）の周方向に延びる太線は、固定子コア３０の軸方向一方側（図１５の紙面手前側）に位置するターン部５２を示し、導線（Ｕ１−１）の周方向に延びる二点鎖線は、固定子コア３０の軸方向他方側（図１５の紙面後側）に位置するターン部５２を示す（以後、図１６においても同じ）。
【００７４】
この固定子巻線４０は、図１５に示すように、各スロット３１において、８本の導線５０のスロット収容部５１が径方向に１２層、積層された状態になっている。導線（Ｕ１−１）は、始端側の第１スロット収容部５１Ａが１番スロットの最外層（第１２層）に位置し、終端側の第１２スロット収容部５１Ｌが１９番スロットの最内層（第１層）に位置している。
【００７５】
また、固定子巻線４０を構成する４８本の導線５０は、長手方向（周方向）に１スロットピッチずつずれて配置されているので、各導線５０の始端側となる第１スロット収容部５１Ａが、４８個の各スロット３１の最外層（第１２層）に順に収容されている。下記の表１は、１番〜４８番の各スロット３１において、最外層に位置する導線の番号と、最内層に位置する導線の番号をまとめたものである。
【００７６】
【表１】
0005621263.tif 000002
【００７７】
固定子巻線４０を構成する導線５０は、各導線５０の一端側（第１スロット収容部５１Ａ側）から他端側（第１２スロット収容部５１Ｌ側）に向かうにつれて、スロット収容部５１の固定子コア３０の中心軸線Ｏからの半径距離が順次小さくなっている。本実施形態の場合、各導線５０は、ターン部５２によって接続されたスロット収容部５１同士の固定子コア３０の中心軸線Ｏからの半径方向距離がスロット収容部５１の径方向厚み分異なっている。
【００７８】
図１６は、固定子巻線４０を図１５の裏側から見た場合の、１本の導線（Ｕ１−４’）の軌跡を示す図である。この導線（Ｕ１−４’）は、始端側となる第１スロット収容部５１Ａが４３番スロットの第１２層（最外層）に配置され、第２スロット収容部５１Ｂが１番スロットの第１１層に配置され、第３スロット収容部５１Ｃが７番スロットの第１０層に配置され、第４スロット収容部５１Ｄが１３番スロットの第９層に配置され、最終の第１２スロット収容部５１Ｌが１３番スロットの第１層（最内層）に配置されている。即ち、導線（Ｕ１−４’）は、始端側（外径側）から終端側（内径側）に向かうにつれて、スロット収容部５１の固定子コア３０の中心軸線Ｏからの半径距離が順次小さくなっている。
【００７９】
よって、固定子コア３０の中心軸線Ｏから、第１スロット収容部５１Ａまでの半径距離ｒ４３と、第２スロット収容部５１Ｂまでの半径距離ｒ１と、第３スロット収容部５１Ｃまでの半径距離ｒ７と、第４スロット収容部５１Ｄまでの半径距離ｒ１３は、順次スロット収容部５１の径方向厚み分小さくなっており、以後同様に、第１２スロット収容部５１Ｌに至るまで、半径距離が順次スロット収容部５１の径方向厚み分小さくなっている。すなわち、第１スロット収容部５１Ａから第１２スロット収容部５１Ｌに至るまで、半径距離が順次小さくなるのみで、途中で半径距離が大きくなることはない。
【００８０】
次に、１６本の導線５０を直列に接続してなる各相巻線４３（Ｕ、Ｖ、Ｗ）のうち、代表としてＶ相の各相巻線４３の接続状態を、図１４、図１７および上記の表１を参照して説明する。なお、Ｕ相、Ｗ相の各相巻線もＶ相と同様の接続となっている。
【００８１】
図１４において出力線Ｖの始端に位置する導線（Ｖ１−１）は、表１および図１７に示すように、始端側の第１スロット収容部５１Ａが５番スロットの最外層（第１２層）に配置され、終端側の第１２スロット収容部５１Ｌが２３番スロットの最内層（第１層）に配置されている。導線（Ｖ１−１）の終端側には、始端側の第１スロット収容部５１Ａが１７番スロットの第１２層に配置され、終端側の第１２スロット収容部５１Ｌが３５番スロットの第１層に配置された導線（Ｖ１−２）の始端側が接続されている。
【００８２】
導線（Ｖ１−２）の終端側には、始端側の第１スロット収容部５１Ａが２９番スロットの第１２層に配置され、終端側の第１２スロット収容部５１Ｌが４７番スロットの第１層に配置された導線（Ｖ１−３）の始端側が接続されている。導線（Ｖ１−３）の終端側には、始端側の第１スロット収容部５１Ａが４１番スロットの第１２層に配置され、終端側の第１２スロット収容部５１Ｌが１１番スロットの第１層に配置された導線（Ｖ１−４）の始端側が接続されている。導線（Ｖ１−４）の終端側には、始端側の第１スロット収容部５１Ａが６番スロットの第１２層に配置され、終端側の第１２スロット収容部５１Ｌが２４番スロットの第１層に配置された導線（Ｖ２−１）の始端側が接続されている。
【００８３】
導線（Ｖ２−１）の終端側には、始端側の第１スロット収容部５１Ａが１８番スロットの第１２層に配置され、終端側の第１２スロット収容部５１Ｌが３６番スロットの第１層に配置された導線（Ｖ２−２）の始端側が接続されている。導線（Ｖ２−２）の終端側には、始端側の第１スロット収容部５１Ａが３０番スロットの第１２層に配置され、終端側の第１２スロット収容部５１Ｌが４８番スロットの第１層に配置された導線（Ｖ２−３）の始端側が接続されている。導線（Ｖ２−３）の終端側には、始端側の第１スロット収容部５１Ａが４２番スロットの第１２層に配置され、終端側の第１２スロット収容部５１Ｌが１２番スロットの第１層に配置された導線（Ｖ２−４）の始端側が接続されている。
【００８４】
導線（Ｖ２−４）の終端側には、始端側の第１スロット収容部５１Ａが４８番スロットの第１２層に配置され、終端側の第１２スロット収容部５１Ｌが１８番スロットの第１層に配置された導線（Ｖ２−４’）の始端側が接続されている。導線（Ｖ２−４’）の終端側には、始端側の第１スロット収容部５１Ａが３６番スロットの第１２層に配置され、終端側の第１２スロット収容部５１Ｌが６番スロットの第１層に配置された導線（Ｖ２−３’）の始端側が接続されている。導線（Ｖ２−３’）の終端側には、始端側の第１スロット収容部５１Ａが２４番スロットの第１２層に配置され、終端側の第１２スロット収容部５１Ｌが４２番スロットの第１層に配置された導線（Ｖ２−２’）の始端側が接続されている。導線（Ｖ２−２’）の終端側には、始端側の第１スロット収容部５１Ａが１２番スロットの第１２層に配置され、終端側の第１２スロット収容部５１Ｌが３０番スロットの第１層に配置された導線（Ｖ２−１’）の始端側が接続されている。
【００８５】
導線（Ｖ２−１’）の終端側には、始端側の第１スロット収容部５１Ａが４７番スロットの第１２層に配置され、終端側の第１２スロット収容部５１Ｌが１７番スロットの第１層に配置された導線（Ｖ１−４’）の始端側が接続されている。導線（Ｖ１−４’）の終端側には、始端側の第１スロット収容部５１Ａが３５番スロットの第１２層に配置され、終端側の第１２スロット収容部５１Ｌが５番スロットの第１層に配置された導線（Ｖ１−３’）の始端側が接続されている。導線（Ｖ１−３’）の終端側には、始端側の第１スロット収容部５１Ａが２３番スロットの第１２層に配置され、終端側の第１２スロット収容部５１Ｌが４１番スロットの第１層に配置された導線（Ｖ１−２’）の始端側が接続されている。導線（Ｖ１−２’）の終端側には、始端側の第１スロット収容部５１Ａが１１番スロットの第１２層に配置され、終端側の第１２スロット収容部５１Ｌが２９番スロットの第１層に配置された導線（Ｖ１−１’）の始端側が接続されている。
【００８６】
次に、表１、図１２および図１７を参照して各導線５０の接続状態を説明する。ここでは、代表として２本の導線（Ｖ１−１）（Ｖ１−２）の接続状態を説明する。一方の導線（Ｖ１−１）は、始端側となる第１スロット収容部５１Ａが４番スロットの最外層（第１２層）に配置され、終端側となる第１２スロット収容部５１Ｌが２３番スロットの最内層（第１層）に配置されている。この導線（Ｖ１−１）の終端側に設けられた引出し部５３ｂ（内周側端部）は、第１２スロット収容部５１Ｌが配置されている２３番スロットからターン部５２Ｎの長さ分だけ戻った所（２０番スロット付近）に位置している。
【００８７】
そして、他方の導線（Ｖ１−２）は、始端側となる第１スロット収容部５１Ａが１７番スロットの最外層（第１２層）に配置され、終端側となる第１２スロット収容部５１Ｌが３５番スロットの最内層（第１層）に配置されている。この導線（Ｖ１−２）の始端側に設けられた引出し部５３ａ（外周側端部）は、第１スロット収容部５１Ａが配置されている１７番スロットからターン部５２Ｍの長さ分だけ戻った所（２０番スロット付近）に位置している。図７〜図１０に示すように、この導線（Ｖ１−１）の引出し部５３ｂ（内周側端部）は、径方向外方側へ略直角に折り曲げられた後、その先端が、固定子巻線４０の外周端部に位置する導線（Ｖ１−２）の引出し部５３ａ（外周側端部）の先端部に溶接接合されることにより接続されている。
【００８８】
この溶接接合は、固定子巻線４０の最も外径側に位置するターン部５２よりも外径側において溶接により接続されている。この場合、導線（Ｖ１−１）の引出し部５３ｂ（内周側端部）の折り曲げ部は、固定子巻線４０の軸方向端面（ターン部５２の軸方向外面）上を通る渡り部７０を形成しており、２本の導線（Ｖ１−１）（Ｖ１−２）は、渡り部７０を介して接続されている。これにより、内径側に位置するス第１２ロット収容部５１Ｌの径方向内方への膨出をより効果的に防止することができるので、内径側に位置する回転子との干渉を回避することが可能となる。
【００８９】
なお、渡り部７０は、図３および図９に示すように、渡り部７０の径方向両端部が、固定子コア３０（固定子巻線４０）の中心軸線Ｏから放射方向に延びる直線に沿って延びるように形成されている。渡り部７０の形状をこのようにすることによって、導線の折り曲げを容易にするとともに、溶接接合を容易にすることができる。
【００９０】
また、この渡り部７０は、図３および図９に示すように、固定子巻線４０の軸方向端面上において、周方向に略３／４周する範囲の領域に設けられている。そして、固定子巻線４０の軸方向端面上の残り１／４周する範囲の領域には、中性点Ｖ、出力線Ｗ、中性点Ｕ、出力線Ｖ、中性点Ｗおよび出力線Ｕの引出し部が順番に並んで設けられている。即ち、固定子巻線４０の軸方向端面において、中性点Ｕ、Ｖ、Ｗの引出し部と同じ領域に出力線Ｕ、Ｖ、Ｗの引出し部が設けられているとともに、渡り部７０が設けられる領域と中性点Ｕ、Ｖ、Ｗおよび出力線Ｕ、Ｖ、Ｗの引出し部が設けられる領域が分離されている。
【００９１】
上記のように構成された固定子巻線４０は、外周側から分割コア３２が挿入されることによって固定子コア３０と組み付けられている（図２〜図４参照）。これにより、固定子巻線４０を構成する導線５０は、固定子コア３０の内周側で周方向に沿って波巻きされた状態に組み付けられている。導線５０のターン部５２によって接続されたスロット収容部５１同士は、所定のスロットピッチ（本実施形態では、３相×２個＝６スロットピッチ）だけ離間したスロット３１に収容されている。隣り合うスロット収容部５１同士を接続するターン部５２は、固定子コア３０の軸方向の両端面からそれぞれ突出し、その突出している部分によりコイルエンドが形成されている。
【００９２】
（製造方法）
次に、本実施形態の固定子２０の製造方法について説明する。本実施形態の固定子２０の製造方法は、図１８に示すように、導線形成工程１０１と、成形工程１０２と、固定子巻線形成工程１０３と、コア組付工程１０４とからなる。
【００９３】
最初の導線形成工程１０１では、図１９および図２０に示すように、治具を用いて、線材５０ａに対して、スロット３１に収容されるスロット収容部５１と、周方向に異なるスロット３１に収容されるスロット収容部５１同士を接続するターン部５２とを形成し、図１２に示す導線５０を作製する。ここで用いられる治具は、線材５０ａの幅に相当する距離を隔てて対向配置された第１および第２固定治具８１、８２と、支軸８３ａに回転可能に取着され、第１および第２固定治具８１、８２の間に挟持された線材５０ａを第１固定治具８１側へ屈曲させる回転治具８３とを備えている。第１固定治具８１は、線材５０ａが屈曲される際に屈曲部が当接する略直角のコーナ部８１ａを有する。コーナ部８１ａは、所定の大きさのアール形状とされている。
【００９４】
この治具により、ターン部５２を形成するには、図２０（Ａ）に示すように、第１および第２固定治具８１、８２の間に、線材５０ａのスロット収容部５１となる部分を挟持させて、支軸８３ａを中心にして回転治具８３を第１固定治具８１側へ回転させる。なお、第１固定治具８１と第２固定治具８２の対向方向は、固定子コア３０の周方向に相当する（図１９参照）。これにより、図２０（Ｂ）に示すように、回転治具８３が線材５０ａを第１固定治具８１のコーナ部８１ａに押し付け、コーナ部８１ａのアール形状に沿って屈曲させる。
【００９５】
これにより、スロット３１から突出するターン部５２の突出箇所（スロット収容部５１の延長線上の部位）が、スロット収容部５１に対して略直角に屈曲され、ターン部５２の突出箇所に、固定子コア３０の端面に沿った段部５５が形成される。
【００９６】
また、上記の治具を上記と同様に操作して、各ターン部５２に、固定子コア３０の端面に平行な４個の段部５６からなる階段部を形成する。
【００９７】
次の成形工程１０２では、導線形成工程１０１で作製した導線５０を塑性変形させて、所定の大きさの１周以上の渦巻き状に巻回して巻回体とする。この成形工程１０２では、図２１〜２２に示すように、導線５０が周方向に略２周する渦巻き状に成形される。図２１には巻回体の平面図を示し、図２２には巻回体の斜視図を示した。
【００９８】
成形工程１０２は、図２３に成形を行う押圧部材の構成を示した巻回装置９を用いて行われる。巻回装置９は、内周押圧部材９１、中間押圧部材９２、外周押圧部材９３を有している。なお、本実施形態で押圧部材９１〜９２は、請求項１０に記載の成型ダイに相当する。
【００９９】
内周押圧部材９１は、導線５０を１周以上の渦巻き状に成形するときの渦巻き状の巻回体の最内周面と当接する押圧部材である。つまり、内周押圧部材９１は、巻回体の内周面の形成に寄与する。内周押圧部材９１は、中間押圧部材９２及び外周押圧部材９３との間に配置された導線５０を、成形する。
【０１００】
内周押圧部材９１は、導線５０のスロット収容部５１が収容・固定されるスロット収容部規制部９１１と、ターン部５２と当接してターン部５２の変形に寄与する曲成形部９１２と、を備えている。そして、曲成形部９１２は、軸方向の一方のターン部５２を成形する第一曲成形部９１２１と、他方のターン部５２を成形する第二曲成形部９１２２と、を備えている。内周押圧部材９１は、第一及び第二曲成形部９１２１，９１２２を、スロット収容部規制部９１１で接続した構成となっている。
【０１０１】
スロット収容部規制部９１１は、内周押圧部材９１の外周面に形成されたスロット収容部５１が収容される断面凹字状の空隙を備えた溝条である。この溝条は、固定子巻線４０の軸方向に平行にのびている。また、この溝条は、その断面形状が、スロット収容部５１の外周形状に対応する形状であり、具体的には、スロット収容部５１の外周形状と略一致する形状に形成されている。溝条は、スロット収容部５１が収容（嵌合）された状態では、スロット収容部５１の変移（ずれ）が生じなくなっている。つまり、溝条に収容された状態のスロット収容部５１は、位置が規制される。図２５に、スロット収容部規制部９１１の断面形状を示した。
【０１０２】
曲成形部９１２は、導線５０のターン部５２と当接し、ターン部５２をその外周面にそった形状に成形する。曲成形部９１２の外周面は、渦巻き状の巻回体を形成できる形状に形成されている。すなわち、固定子巻線４０を固定子コア３０に組み付けたときに、固定子巻線４０が所定の寸法精度を有することができるように予め設定された曲率をなすように、曲成形部９１２の形状（曲率）が設定されている。
【０１０３】
中間押圧部材９２は、１周以上の渦巻き状の巻回体を構成する導線５０が径方向で重なり合う内周側部と外周側部の間に少なくとも介在し、その内周側に位置する内周壁部と内周押圧部材９１との間で、両押圧部材９１，９２間に位置する導線５０の内周側部を押圧して成形する。本実施形態においては、中間押圧部材９２は、内周押圧部材９１の外周を１周するように形成されている。
【０１０４】
また、中間押圧部材９２は、導線５０の径方向で重なり合う内周側部と外周側部との外周側部の内周面と当接する外周壁部を有している。この外周壁部は、内周壁部と径方向で背向してもうけられている。外周壁部を含む中間押圧部材９２の外周面には、内周押圧部材９１の外周面と同様に、スロット収容部規制部９２１Ｇ〜Ｌと、曲成形部９２２と、が形成されている。
【０１０５】
中間押圧部材９２は、それぞれが揺動可能な状態で周方向の端部が接続された、複数の中間押圧部材片９２Ａ〜Ｆから形成されている。なお、中間押圧部材片９２Ａ〜Ｆのそれぞれは、揺動可能な状態で接続されていればよく、揺動可能に接続する方法については限定されるものではない。
【０１０６】
中間押圧部材９２は、内周押圧部材９１と同様に、軸方向の一方のターン部５２を成形する第一曲成形部９２２１と、他方のターン部５２を成形する第二曲成形部９２２２と、を備えている。中間押圧部材９２は、第一及び第二曲成形部９２２１，９２２２を、スロット収容部規制部９２１で接続した構成となっている。
【０１０７】
曲成形部９２２の外周面は、内周押圧部材９１の曲成形部９１２と同様に、固定子巻線４０を固定子コア３０に組み付けたときに、固定子巻線４０が所定の寸法精度を有することができるように予め設定された曲率をなすように、曲成形部９１２の形状（曲率）が設定されている。
【０１０８】
外周押圧部材９３は、中間押圧部材９２の外周面との間で、導線５０を成形する。外周押圧部材９３は、複数の外周押圧部材片９３Ａ〜Ｆから形成される。
【０１０９】
本実施形態において、内周押圧部材９１，中間押圧部材９２，外周押圧部材９３の導線５０と当接して押圧する押圧面には、ターン部５２を成形するときに、ターン部５２のクランク部５４の段差に対応した形状を有する段差規制部９４が形成されている。この段差規制部９４は、その形状から成形時にクランク部５４の位置を規制する。ここで、段差規制部９４は、成形時にクランク部５４の位置を規制できる形状であれば限定されるものではない。本実施形態において段差規制部９４は、中間押圧部材９２の中間押圧部材片９２Ａ〜Ｆ及び外周押圧部材９３の外周押圧部材片９３Ａ〜Ｆのそれぞれが周方向で接続される接続部にもうけられている。
【０１１０】
本実施形態において、内周押圧部材９１，中間押圧部材９２，外周押圧部材９３の導線５０と当接する押圧面のそれぞれは、予め設定された曲率をなすように形成されている。具体的には、ターン部５２Ａ〜Ｋ，Ｍ〜Ｎのそれぞれに対応した各押圧部材９１，９２，９３の押圧面は、湾曲形状の半径及び中心点が一致していない。より具体的には、巻回体において、ターン部５２Ａ〜Ｋのそれぞれには、クランク部５４Ａ〜Ｋが設けられており、ターン部５２に接続されるふたつのスロット収容部５１，５１の径方向での位置は、異なっている。すなわち、一つのターン部５２においては、クランク部５４から一方のスロット収容部５１までの曲率と、他方のスロット収容部５１までの曲率と、が異なる。例えば、ターン部５２Ｋにおいて、ターン部５４Ｋからスロット収容部５１Ｋまでの曲率と、ターン部５４Ｋからスロット収容部５１Ｌまでの曲率とが異なっている。このような形状に成形するためには、対応した押圧面がそれぞれ異なる曲率を持つことが求められる。そして、異なる曲率を持つように各押圧部材９１，９２，９３の押圧面が形成されている。各押圧部材９１，９２，９３の押圧面は、湾曲形状の半径及び中心点（湾曲形状の中心）が異なっている。図２４（Ａ），（Ｂ）に示す様に、巻回装置９で導線５０を成形している状態で押圧面の各曲率中心を示すとそれぞれが異なる位置にあるとともに略正六角形を形成する。なお、図２４（Ａ）には、各押圧部材９１〜９３により成形されている状態（図２３に示した状態）での巻回体の周方向にのびる部分のそれぞれの曲率中心を、図２４（Ｂ）には、図２４（Ａ）の中心近傍の拡大図を示した。なお、曲率とは、周方向にそって湾曲した湾曲部の中心までの径（ｒ）の逆数（１／ｒ）を示す。
【０１１１】
本実施形態において、固定子巻線４０を固定子コア３０に組み付けた状態での曲率に対して、成形工程時の曲率と、の比を曲率比とすると、導線５０の成形時の最外径側に位置する部分の曲率比は、最内径側に位置する部分の曲率比よりも大きくなっている。具体的には、成形後のスロット収容部５１Ｌに接続するターン部５２Ｋ，Ｎ、及びスロット収容部５１Ａに接続するターン部５２Ａ，Ｍの成形時の曲率比を比較すると、ターン部５２Ｋ，Ｎの曲率比よりも、ターン部５２Ａ，Ｍの曲率比の方が大きくなっている。より具体的には、図２１に示した様に、固定子巻線を形成したときの最内径側に位置するターン部５２Ｋ，Ｎの曲率をａとしたときの、成形工程時のターン部５２Ｋ，Ｎの曲率は１．２１ａであり、曲率比は１．２１となっている。そして、最外径側に位置するターン部５２Ａ，Ｍの曲率をｂとしたときの、成形工程時のターン部５２Ａ，Ｍの曲率は１．２６ｂであり、曲率比は１．２６となっている。
【０１１２】
そして、導線５０のターン部５２Ａ〜Ｋの曲率比は、最内径側（５２Ｋ，Ｎ）から最外径側（５２Ａ，Ｍ）にかけて徐々に変化している。なお、これらの数値は、本実施形態における一例であり、例えば最内径側（５２Ｋ，Ｎ）の曲率比を１．２０〜１．２２とし、最外径側（５２Ａ，Ｍ）の曲率比を１．２５〜１．２７としても同様の効果が得られる。また、これらの数値は、本実施形態を示す一例であり、製造される固定子巻線の材料や寸法等の条件により適宜設定することができる。
【０１１３】
巻回装置により導線５０を１周以上の渦巻き状に巻回して巻回体とする巻回方法について説明する。
【０１１４】
まず、導線５０のスロット収容部５１のうち、固定子巻線４０を形成したときに最内周に位置するスロット収容部５１Ｌを、内周押圧部材９１のスロット収容部規制部９１１Ｌの断面凹字状の溝条に挿入・保持する。スロット収容部５１Ｌがスロット収容部規制部９１１Ｌに挿入・保持された状態は、図２５に示した。図２５に示したように、スロット収容部５１Ｌは、スロット収容部規制部９１１Ｌに固定されて位置が規制されており、周方向や径方向内方へのずれやねじれといった変位が規制されている。図２６に、スロット収容部５１Ｌがスロット収容部規制部９１１Ｌに保持された状態の内周押圧部材９１を示した。
【０１１５】
そして、スロット収容部５１Ｌの変位が規制された状態で、このスロット収容部規制部９１１Ｌ（に固定されたスロット収容部５１Ｌ）に対応した中間押圧部材片９２Ａを、スロット収容部規制部９１１Ｌの径方向外方に配置した後に、径方向内方に変位して内周押圧部材９１に押圧して導線５０を成形する。このとき、中間押圧部材９２のスロット収容部規制部９２１の内周壁部と内周押圧部材９１のスロット収容部規制部９１１Ｌとで、スロット収容部５１Ｌが径方向外方に変位することが規制される。なお、スロット収容部５１Ｌは、スロット収容部規制部９１１Ｌの溝条に嵌入しており、径方向内方及び周方向への変位が規制されている。つまり、中間押圧部材片９２Ａと内周押圧部材９１のスロット収容部規制部９１１Ｌとで、スロット収容部５１Ｌの位置がねじれを含めて完全に規制されている。
【０１１６】
中間押圧部材片９２を径方向内方に変移していくと、スロット収容部規制部９２１Ｌの軸方向の一端側にもうけられた第一曲成形部９２２１Ａはターン部５２Ｎを、他端側にもうけられた第二曲成形部９２２２はターン部５２Ｌを、押圧して成形する。この押圧により、ターン部５２Ｋのクランク部５４Ｋからスロット収容部５１Ｌまで及びターン部５２Ｎが成形される。
【０１１７】
そして、中間押圧部材片９２Ａを径方向内方に変移していくと、中間押圧部材片９２Ａに接続された中間押圧部材片９２Ｂが連続して内周押圧部材９１の周方向に沿うように（中間押圧部材９２が内周押圧部材９２に巻き付くように）変移して、中間押圧部材片９２Ｂが導線５０を押圧するようになる。
【０１１８】
図２３に示したように、中間押圧部材片９２Ｂの内周壁部は、中間押圧部材片９２Ａの内周壁部と径方向での位置がずれて形成されており、二つの中間押圧部材片９２Ａ，９２Ｂの接続部がクランク部５４Ｋの位置を規制する段差規制部９４となっている。つまり、中間押圧部材片９２Ａが導線５０を成形している状態（完全に内周押圧部材９１を押圧した状態）では、中間押圧部材片９２Ｂが中間押圧部材片９２Ａに接続されていることから、クランク部５４Ｋの位置が段差規制部９４により最初に規制される。そして、中間押圧部材片９２Ｂをさらに内周押圧部材９１に押圧すると、ターン部５２Ｋに接続されたスロット収容部５１Ｋが、内周押圧部材９１のスロット収容部規制部９１１Ｋに収容・固定される。このとき、ターン部５２Ｋは、その中央（周方向の中央）に位置するクランク部５４Ｋからスロット収容部５１までの位置が、中間押圧部材片９２Ａにより規制されており、ターン部５２Ｋに接続するスロット収容部５１Ｋは、スロット収容部規制部９１１Ｋに簡単に挿入・固定できた。
【０１１９】
上記の中間押圧部材片９２Ａ〜Ｂでの成形と同様の工程を繰り返して、中間押圧部材片９２Ｆまでを用いて導線５０を１周分成形する。つまり、スロット収容部５１Ｇまでを成形する。図２７に、中間押圧部材９２が内周押圧部材９１の外周を一周した状態を示した。
【０１２０】
図２７に示したように、中間押圧部材９２が内周押圧部材９１の外周を一周した状態では、スロット収容部５１Ａ〜Ｆが、中間押圧部材９２の径方向外方（外周側）に位置する。外周押圧部材９３の外周押圧部材片９３Ａ〜Ｆのうち、スロット収容部５１Ｆに対応した外周押圧部材片９３Ａを、スロット収容部５１Ｆの径方向外方に配置し、径方向内方に変移させて、中間押圧部材９２の外周壁部との間で、スロット収容部５１Ｆ及びターン部５２Ｅ，Ｆを成形する。ここで、中間押圧部材９２の外周壁部にも、内周押圧部材９１の外周面と同様に、導線５０を所定の形状に成形できるように形成されており、ターン部５２Ｆも所定の形状（所定の寸法精度の渦巻き状）に成形される。
【０１２１】
スロット収容部５１Ｆ及びターン部５２Ｅ，Ｆの成形時には、スロット収容部５１Ｆが中間押圧部材９２のスロット収容部規制部９２１の外周面に形成されたスロット収容部５１Ｆが収容されるスロット収容部規制部９２１Ｆに挿入・保持され、位置が規制される。図２８〜２９に、外周押圧部材片９３Ａが中間押圧部材９２との間で導線５０を成形している状態を示した。
【０１２２】
上記の外周押圧部材片９３Ａでの成形と同様の工程を繰り返して、外周押圧部材片９３Ｆまでを用いて導線５０を１周分成形する。つまり、スロット収容部５１Ｆ〜Ａを、外周押圧部材片９３Ａ〜Ｆを順次用いて成形する。図３０に、外周押圧部材９３が中間押圧部材９２との間で導線５０を成形している状態を示した。図３０に示したように、導線５０のターン部５２Ｆ〜Ａまでの部分（外周側部５７１）は、ターン部５２Ｋ〜Ｇまでの部分（内周側部５７０）と径方向で重なり合っている。
【０１２３】
成形後に、各押圧部材９１〜９３から取り外して、渦巻き状の導線５０の巻回体が得られた。
【０１２４】
次の固定子巻線形成工程１０３では、成形工程１０２で渦巻き状に成形された４８本の導線５０を互いに軸方向に相対移動させて組み付け、円筒状の固定子巻線４０を形成する。この工程での導線５０の組付けは、例えば図３１に示すように、複数の導線５０を所定の状態に組み付けてなる１つの導線集合体５０ｂに対して１本の導線５０を軸方向に相対移動させることにより行う。この場合、導線５０および導線集合体５０ｂは、弾性変形範囲内において径方向に変形させた状態にされており、それらを軸方向に相対移動させる際に、導線５０の干渉が少なくなるようにして軸方向への相対移動がより円滑且つ容易になるようにされている。
【０１２５】
以上のようにして４８本の導線５０の組付けを行った後、所定の導線５０の引出し部５３ａ、５３ｂを溶接で接続することにより、図７〜図１０に示す固定子巻線４０が得られる。この固定子巻線４０は、４８本の導線５０を互いに軸方向に相対移動させることにより組み付けられているので、スロット収容部５１の位置ずれや固定子巻線４０の形くずれ等の発生が回避されている。
【０１２６】
次のコア組付工程１０４では、固定子巻線形成工程１０３で形成された固定子巻線４０と固定子コア３０との組付けを行う。この場合、円筒状に形成された固定子巻線４０に対して、所定数の分割コア３２を外周側から挿入して円環状に組み付けることで、図２〜４に示す固定子２０が完成する。
【０１２７】
以上のように、本実施形態によれば、固定子巻線の製造時に、スロット収容部５１及びターン部５２を有する導線５０を、スロット収容部５１及びクランク部５４の位置を規制した状態で、ターン部５２を周方向に沿うように成形していることで、ターン部５２が成形された巻回体では、スロット収容部５１の位置のずれが抑えられたものとなっている。具体的には、回転電機の固定子及び回転電機を形成したときに、固定子コアのスロット内でのスロット収容部５１の位置ずれの発生を抑えることができた。
【０１２８】
このことから、本実施形態により製造された固定子巻線、固定子及び回転電機は、スロット収容部５１の位置ずれに基づく不具合の発生が抑えられたものとなっている。
【０１２９】
本実施形態によれば、ターン部５２は固定子コア３０の軸方向の端面から突出するように形成されており、かつ周方向と軸方向がなす曲面で傾斜した方向にのびる形状を有している。このような形状のターン部５２をもつ導線５０を巻回しても、スロット収容部５１の位置のずれの発生を抑えることができた。
【０１３０】
本実施形態によれば、ターン部５２の成形が、所定の曲率の押圧面を備えた曲成形部９１２，９２２により行っており、成形時にターン部５２の全体に荷重をかけることができ、ターン部５２を確実に所定の曲率に成形することができた。
【０１３１】
本実施形態によれば、ターン部５２は、径方向に変化するクランク部５４を有しており、固定子巻線４０を形成したときに、径方向で隣り合った導線同士の干渉を抑えることができ、成形時にクランク部５４によりターン部５２の周方向位置が規制されるため、成形に伴うスロット収容部５１の位置や姿勢の変移を防止できた。
【０１３２】
本実施形態によれば、ターン部５２においてクランク部５４がスロット収容部５１から最も離れた形状である対称な形状に形成されている。また、ターン部５２が階段状に形成されている。これによると、ターン部５２が階段状に成形されることで、固定子巻線４０のスロット収容部５１（固定子コア３０の端面）からの突出量を小さくすることができ、本発明の製造方法により製造された固定子巻線を小型化することができた。
【０１３３】
本実施形態によれば、ターン部５２が径方向位置を変化させるクランク部５４を有していても、スロット収容部５１を規制した状態で成形しており、スロット収容部５１の位置ずれが抑えられた固定子巻線を製造することができた。
【０１３４】
本実施形態によれば、スロット収容部５１を押圧部材９１，９２に固定した状態で成形を行うことで、成形時のスロット収容部５１の位置が規制され、この状態で押圧部材９１，９２に押圧することでスロット収容部５１の位置のずれが抑えられた固定子巻線４０を製造できた。
【０１３５】
また、本実施形態によれば、スロット収容部５１の位置を規制するスロット収容部規制部９１１，９２１を有する製造装置を用いて固定子巻線４０を製造している。これによると、スロット収容部規制部９１１，９２１でスロット収容部５１の位置を規制した状態でターン部５２を成形しており、ターン部５１が成形された成形体（巻回体）では、スロット収容部５１が変移を生じなくなっている。すなわち、スロット収容部５１とターン部５２とを同時に成形することで、スロット収容部５２の位置ずれの発生を抑えることができた。
【０１３６】
本実施形態において固定子巻線４０を製造する製造装置は、上記した製造方法による各効果を達成できた。
【０１３７】
さらに、本実施形態において固定子巻線４０を製造する製造装置は、押圧部材９１，９２が、第一及び第二曲成形部９１２１，９１２２，９２２１，９２２２を、スロット収容部規制部９１１，９２１で接続した構成となっていることで、それぞれの曲成形部の相対位置を簡単な構造で固定できた。加えて、中間押圧部材９２を、このような構成とすることで、中間押圧部材片９２Ａ〜Ｆを軽量化することができ、押圧のための変移を簡単に行うことができた。
【符号の説明】
【０１３８】
１：回転電機
２０：固定子
３０：固定子コア              ３０ａ：端面
３１：スロット
４０：固定子巻線              ４３：各相巻線
４５：導線集積体
５０：導線                    ５１：スロット収容部
５２：ターン部                ５３ａ：引出し部（外周側端部）
５３ｂ：引出し部（内周側端部）
５４：クランク部              ５５、５６：段部
５７０：内周側部              ５７１：外周側部
６７：導体                    ６８：絶縁皮膜
７０，７０Ｂ：渡り部
８１：第１固定治具            ８２：第２固定治具
８３：回転治具
９：巻回装置                  ９１：内周押圧部材
９２：中間押圧部材            ９３：外周押圧部材
９１１，９２１：スロット収容部規制部
９１２，９２２：曲成形部
９４：段差規制部
【図１】
0005621263.tif 000003
【図２】
0005621263.tif 000004
【図３】
0005621263.tif 000005
【図４】
0005621263.tif 000006
【図５】
0005621263.tif 000007
【図６】
0005621263.tif 000008
【図７】
0005621263.tif 000009
【図８】
0005621263.tif 000010
【図９】
0005621263.tif 000011
【図１０】
0005621263.tif 000012
【図１１】
0005621263.tif 000013
【図１２】
0005621263.tif 000014
【図１３】
0005621263.tif 000015
【図１４】
0005621263.tif 000016
【図１５】
0005621263.tif 000017
【図１６】
0005621263.tif 000018
【図１７】
0005621263.tif 000019
【図１８】
0005621263.tif 000020
【図１９】
0005621263.tif 000021
【図２０】
0005621263.tif 000022
【図２１】
0005621263.tif 000023
【図２２】
0005621263.tif 000024
【図２３】
0005621263.tif 000025
【図２４】
0005621263.tif 000026
【図２５】
0005621263.tif 000027
【図２６】
0005621263.tif 000028
【図２７】
0005621263.tif 000029
【図２８】
0005621263.tif 000030
【図２９】
0005621263.tif 000031
【図３０】
0005621263.tif 000032
【図３１】
0005621263.tif 000033
【図３２】
0005621263.tif 000034
【図３３】
0005621263.tif 000035